(57)【特許請求の範囲】
【請求項１】
木材の適宜位置に、木質侵食害虫を駆除するための駆除液剤が注入ないし貯留される液剤注入孔を穿設し、該液剤注入孔より駆除液剤を、押圧を加えて注入した後、上記液剤注入孔を栓塞具により栓塞して駆除液剤を封入する木質侵食害虫駆除方法に供され、上記栓塞具に液剤注入管を介し連設される注入シリンダと、該注入シリンダに備えられる加圧ピストンとを構成要素とし、該加圧ピストンに、恒常的に適宜押圧を加える加圧手段が設けられた木質侵食害虫駆除液剤の注入装置において、該注入装置がカバー体を備えるとともに、上記加圧手段が発条であって、該発条の固定端を一端とし、該発条と、注入シリンダと該注入シリンダ内への内挿可能な径のフランジ部ないし延在部位を備えた加圧ピストンとが、上記カバー体の内部所定位置に固定収納されるとともに、上記カバー体の発条固定端より、発条の弾発方向に向け第１伸張案内が設けられ、注入シリンダ内への液剤満量充填時と発条の最短縮時或いは適宜短縮時が一致し、注入シリンダ内への液剤満量充填時における注入シリンダのフランジ部と、発条の最短縮時或いは適宜短縮時における発条可動端との間に、発条の弾発を抑止する弾発抑止レバーの脱挿案内が設けられ、該脱挿案内に、発条の弾発抑止レバーが挿脱自在に挿装され、これを初期設定とし、該初期設定時に弾発抑止レバーと発条の固定端との空間が、短縮発条収納空間を構成するとともに、上記第１伸張案内が、発条短縮収納空間の空間長に近い長さであって、上記弾発抑止レバー脱挿した使用時に、上記注入シリンダが、上記第１伸張案内に延在する第２伸張案内を構成することを特徴とする木質侵食害虫駆除液剤の注入装置。
【請求項２】
カバー体のうち、少なくとも注入シリンダ内の加圧ピストン端可動域が、透明素材により構成されることを特徴とする請求項１記載の木質侵食害虫駆除液剤の注入装置。
【請求項３】
カバー体が、木材ないし樹木への固定取付手段を備えるとともに、初期設定時に、シール状の弾発抑止レバー遊脱防止条体が、弾発抑止レバー上を含みカバー体に貼付されたことを特徴とする請求項１記載の木質侵食害虫駆除液剤の注入装置。
【請求項４】
注入シリンダが、カバー体の所定位置に着脱自在に装着されることを特徴とする請求項１記載の木質侵食害虫駆除液剤の注入装置。
【発明の詳細な説明】
【０００１】
【発明が属する技術分野】
本発明は、木質侵食害虫の駆除液剤の注入装置に関する。
【０００２】
シロアリ等、木質侵食害虫の駆除方法については、薬剤の吹き付け処理や木部に穿孔し液状薬剤の注入を行う方法が一般的であるが、本発明は、木部に穿孔し薬剤注入を行う木質侵食害虫の駆除装置に関するものである。
【０００３】
【従来の技術】
本発明に係る従来技術については、本発明の発明者によるシロアリ駆除液剤注入アセンブリユニット及びこれを用いたシロアリ駆除方法についての技術が存在する。（特願２０００−２４４３１６）この技術は、シロアリ駆除のための液剤を、恒常的に押圧を加えて木材内に注入し、液剤ないしはアセンブリユニットの交換時到来が注入シリンダの視認により確認できるという優れた技術である。
【０００４】
【発明が解決しようとする課題】
但し上記従来技術においては、加圧手段である発条が、加圧ピストンに固定連設されており、液剤が木材に一定量浸透し交換が必要となった際には、アセンブリユニットごと交換しなければならない、という課題があった。
【０００５】
また液剤の注入開始時には、液剤注入孔ないしは栓塞具に液剤注入管を装着する際に、発条の弾発により、液剤が液剤注入管末端より漏出しがちであり、注入開始時の操作が煩瑣である、という課題があった。
【０００６】
本発明は、このような課題にかんがみ、液剤注入開始時の操作が簡便であり、液剤の漏出も無く、また注入シリンダのみの交換も容易である木質侵食害虫駆除液剤の注入装置を提供することを目的とする。
【０００７】
【課題を解決するための手段】
本発明は、木材の適宜位置に、木質侵食害虫を駆除するための駆除液剤が注入ないし貯留される液剤注入孔を穿設し、該液剤注入孔より駆除液剤を、押圧を加えて注入した後、上記液剤注入孔を栓塞具により栓塞して駆除液剤を封入する木質侵食害虫駆除方法に供され、上記栓塞具に液剤注入管を介し連設される注入シリンダと、該注入シリンダに備えられる加圧ピストンとを構成要素とし、該加圧ピストンに、恒常的に適宜押圧を加える加圧手段が設けられた木質侵食害虫駆除液剤の注入装置において、該注入装置がカバー体を備えるとともに、上記加圧手段が発条であって、該発条の固定端を一端とし、該発条と、注入シリンダと、該注入シリンダ内への内挿可能な径のフランジ部ないし延在部位を備えた加圧ピストンとが、上記カバー体の内部所定位置に固定収納されるとともに、上記カバー体の発条固定端より、発条の弾発方向に向け第１伸張案内が設けられ、注入シリンダ内への液剤満量充填時と発条の最短縮時或いは適宜短縮時が一致し、注入シリンダ内への液剤満量充填時における注入シリンダのフランジ部ないし延在部位と、発条の最短縮時或いは適宜短縮時における発条可動端との間に、発条の弾発を抑止する弾発抑止レバーの脱挿案内が設けられ、該脱挿案内に、発条の弾発抑止レバーが挿脱自在に挿装され、この状態を初期設定とし、該初期設定時に弾発抑止レバーと発条の固定端との空間が、短縮発条収納空間を構成するとともに、上記第１伸張案内が、発条短縮収納空間の空間長に近い長さであって、上記弾発抑止レバー脱挿した使用時に、上記注入シリンダが、上記第１伸張案内に延在する第２伸張案内を構成することを主要課題解決手段とするものである。
【０００８】
本発明は、このような主要課題解決手段のもとに、第１に、カバー体のうち少なくとも注入シリンダ内の加圧ピストン端可動域が、透明素材により構成されうるものであり、第２にカバー体が、木材ないし樹木への固定取付手段を備えるとともに、初期設定時にシール状の弾発抑止レバー遊脱防止条体が、弾発抑止レバー上を含みカバー体に貼付される構成、第３に注入シリンダが、カバー体の所定位置に着脱自在に装着される構成をそれぞれとりうるものである。
【０００９】
上述の構成により、液剤注入開始時には、注入シリンダ中の木質侵食害虫の駆除液剤が、栓塞具に嵌装される液剤注入管を通じ、木材の適宜位置に穿設された液剤注入孔より、加圧手段である発条の弾発を押力として、加圧ピストンにより押圧を加えられ、注入され始める。この作用は、前記従来技術と同じである。
【００１０】
但し初期設定時には、発条の弾発は、弾発抑止レバーにより抑止されており、この状態では、加圧ピストンに加わる押圧は阻止され、加圧ピストンは静止している。また初期設定時に準じ、発条の可動端を弾発に抗し、初期設定時と同位置にまで押し戻し、レバーの脱挿案内に再びレバーを内挿しておけば、注入シリンダ内への液剤満量充填時と発条の最短縮時或いは適宜短縮時が一致しているため、注入シリンダがカバー体の所定位置に着脱自在であれば、液剤が少量或いは殆ど空となった注入シリンダをカバー体から脱装し、液剤が満了充填された注入シリンダと容易に交換可能である。この注入シリンダ交換時には、加圧ピストンに対し、発条より不要不測の弾発による押圧が加わることがないため、液剤注入管先端の栓塞を開放して液剤注入孔にこれを連結する際にも、液剤の漏出は殆ど生じない。
【００１１】
カバー体にシール状の弾発抑止レバー遊脱防止条体が、初期設定時に弾発抑止レバー上を含みカバー体に貼付されていれば、液剤が満量充填された注入シリンダが装設されたカバー体ないし本装置の運搬時に、弾発抑止レバーのカバー体からの遊脱が防止されるとともに、液剤注入開始時にはこれを剥がして弾発抑止レバーを脱装するだけでよいので、運搬時の安全性、液剤注入開始時の操作の簡便性が共に実現される。その際に、このシール状の条体表面に、例えば「取付後このシールをはがし、レバーを抜いて下さい。」等の表示をしておけば、固定取付手段を用いて木材や生木等に本装置を取付後の簡便な操作をユーザに誤りなく指示することができる。
【００１２】
固定取付手段を用いて木材や生木等に本装置を取り付けた後は、液剤注入管の塞栓を開放し、液剤注入管先端の栓塞を開放して液剤注入孔にこれを連結し、弾発抑止レバーを脱挿案内に摺動させ引き抜いて脱挿すればよい。すると、発条の可動端が加圧ピストンに圧接され、前記のように、発条の弾発による押力が加圧ピストンないしその延在部位加わり、これを押し下げ、その結果液剤の木材ないし生木等内部への液剤注入が開始する。
【００１３】
加圧ピストンに加えられる押力は、発条の伸張案内がその弾発方向に向け付設されていれば、発条の弾発による不測の曲折が防止され、発条の弾発が一定方向、すなわち液剤注入管への液剤押し出し方向に向け、効率よく弾発が誘導される。加圧ピストンが延在部位以外にピストンロッドとフランジ部を備える構成である場合、ピストンロッドのロッド長は、短い方がカバー体の長さが短くて済む。
【００１４】
この伸張案内のうち、初期設定時に弾発抑止レバーと発条の固定端とに確保される空間、換言すれば短縮発条収納空間の空間長に近い長さに付設されている第１伸張案内の存在により、短縮発条収納空間及びこれより若干長い長さの範囲においては、発条の不測不要な曲折は生じないまま、液剤の注入が進むに伴い、加圧ピストンは、フランジ部ないし延在部分も含めて、注入シリンダ内に徐々に没入していく。
【００１５】
この加圧ピストンの注入シリンダ内への没入の際、注入シリンダが、上記第１伸張案内に延在する第２伸張案内となっていれば、弾発による発条の伸張した部分も注入シリンダ中に内挿され、注入シリンダの内壁が第２伸張案内として機能するため、第１第２伸張案内により弾発の伸張が案内された発条には、駆除液剤の注入が完了するまで、不測不要な曲折は生じない。
【００１６】
【発明の実施の形態】
以下本発明の実施形態を図面を参照しながら説明する。
【００１７】
本発明に係る木質侵食害虫駆除液剤の注入装置実施形態は、本実施形態正面図である図１（ａ）、同側面図である図１（ｂ）に示されるように、硬質合成樹脂素材を一体成形させてなるカバー体１の中に、注入シリンダ２及び発条３が固定され、注入シリンダ２の中にはシロアリ、マツクイムシなどの木質侵食害虫を駆除するための駆除液剤Ｆが充填され、駆除液剤Ｆの上表面には、加圧ピストン４が密着当接ないし圧接されている。
【００１８】
カバー体１は、注入シリンダ２の収納空間、すなわち注入シリンダ収納空間１ａ及び、その上部には発条３を短縮させて収納するための収納空間、すなわち発条短縮収納空間１ｂが設けられる。これら注入シリンダ収納空間１ａ、発条短縮収納空間１ｂは、ともに直方体状であって、発条短縮収納空間１ｂは、注入シリンダ収納空間１ａに連在し、これよりやや小さい。これらの実施例は直方体に限られるものではなく、円筒状であってもよい。
【００１９】
注入シリンダ収納空間１ａと発条短縮空間１ｂとの間は、本実施形態使用前、すなわち初期設定の段階では、発条３の弾発を抑止する発条弾発抑止レバー５で仕切られる。この発条弾発抑止レバー５は、カバー体１とは独立した方形ないし矩形の部材であって、Ｕ字状切欠部５ａが設けられ、脱挿案内６により、カバー体１より挿脱自在である。
【００２０】
加圧ピストン４は、ピストン体４ａがフランジ部４ｂ及びロッド長の短いロッド部４ｃを備えるものであって、初期設定時には、このロッド部４ｃを発条弾発抑止レバー５の切欠部５ａが囲繞している。またフランジ部４ｂについては、その上表面に、短縮収納されている発条３の可動端３ａが圧接し、下表面が発条弾発抑止レバー５に圧接している。フランジ部４ｂの径は、注入シリンダ２の径より小さく、また発条３の径は、当接状態安定のため当然の構成として、フランジ部４ｂの径よりやや小さい。フランジ部４ｂに発条３の内径に合わせた円盤状突起を設け、これに発条３を外挿する構成も、当接状態安定のための実施例として想起される。
【００２１】
加圧ピストン４の実施例については、フランジ部４ｂやロッド部４ｃを備えず、ピストン体４ａのみから構成され、このピストン体４ａが注入シリンダ２の中に没入可能な径を有する延在部位を備えたものであってもよい。この構成では、弾発抑止レバー５を脱挿したときに発条３の可動端３ａが直接ピストン体４ａないしはその上記延在部位に圧接する構成となる。
【００２２】
注入シリンダ２は、一般的な注射器のシリンダと同様の構成であり、軟質合成樹脂製の液剤注入管７ａ及び液剤注入管の先端に装設される耐腐食性金属製の針状注入管７ｂが連設される。針状注入管７ｂには、取扱の安全上、使用前の製品には何らかの栓塞具が取り付けられるべきである。また実際の使用時には、針状注入管７ｂを木質材ないし生木に直接穿着してもよいが、通常は針状注入管７ｂの損傷防止及び効率的な液剤の注入のため、予め木質材ないし生木に液剤注入孔を穿設し、これをゴム栓などの栓塞具により栓塞し、これに針状注入管７ｂを穿着して使用される。なお木質材ないし生木、及び栓塞具については、本実施形態とは本来的に別部材或いは本実施形態の使用対象であるため、図示は省略する。
【００２３】
カバー体１の発条短縮収納空間１ｂには、発条の弾発方向を一定の方向、すなわち液剤注入管存在方向に維持させるため、２片の棒状の第１伸張案内８ａ、８ｂが、発条３の固定端３ｂより液剤注入管存在方向に垂設されている。これら第１伸張案内８ａ、８ｂの長さは、発条短縮収納空間１ｂの収納空間長とほぼ一致している。実施例としては、発条３そのものを囲繞して弾発による伸張方向を維持するために、発条短縮収納空間１ｂを円筒状に構成し、これを第１伸張案内としてもよい。
【００２４】
初期設定時、すなわち使用前の状態においては、本実施形態の使用前製品状態を示す図である図２のように、本実施形態は、カバー体にシール状の弾発抑止レバー遊脱防止条体である保護シール８が、弾発抑止レバー５を含みカバー体１に貼付されている。この保護シール８には、「取付後このシールをはがし、レバーを抜いて下さい。」の表示がなされることが多い。
【００２５】
なおカバー体１は、背面が開放面となっている。また背面と同一面に延在する固定用縁部９が設けられる。この固定用縁部９には、固定用螺子孔が設けられても、或いはシールを剥離させて使用する固定用粘着テープが貼着されてもよい。これらは木材ないし樹木への固定取付手段を構成する。
【００２６】
カバー体１の背面は、開放面となっているため、固定取付手段を脱装すれば、背面の開放面から注入シリンダ２が着脱自在となる。カバー体１は透明素材製であるため、駆除液剤Ｆが満量充填された注入シリンダ２との取り替え時期は、一目瞭然で視認できる。ただ実施例としては、注入シリンダ２を着脱自在とした場合、カバー体１の大きさが幾分大きめとなる傾向にあるので、収入シリンダ２はカバー体１に固着される構成とし、駆除液剤が注入され注入シリンダ２が空となった時点で使い捨てとする構成としてもよい。
【００２７】
以上のような構成により、初期設定時、すなわち使用開始前の製品においては、発条３の弾発は、弾発抑止レバー５のＵ字状片が加圧ピストン４のフランジ部４ｂの可動性を阻止することにより、抑止されている。
【００２８】
この状態では、加圧ピストン４は、動くことなく静止している。この注入シリンダ交換時には、加圧ピストンに対し、発条より不要不測の弾発による押圧が加わることがないため、液剤注入管先端の栓塞を開放して液剤注入孔ないし液剤注入孔に挿装された栓塞具にこれを連結する際にも、液剤漏れはない。
【００２９】
本実施形態の使用開始、すなわち木材あるいは生木への駆除液剤Ｆの注入開始に当たっては、まず木質材ないし生木の適宜位置に固定用縁部９を介して固定し、カバー体１に貼着された保護シール８を剥がす。そして、液剤注入開始時には、まず針状注入管７ｂを木質材ないし生木の液剤注入孔に栓塞されたゴム栓などの栓塞具に穿着し、弾発抑止レバー５をカバー体１から、脱挿案内６を摺動させ引き抜き、脱挿する。
【００３０】
弾発抑止レバー５を脱挿案内６に摺動させ引き抜いて脱挿すると、発条３の可動端３ａが加圧ピストン４のフランジ部４ｂに圧接され、発条３の弾発による押力が加圧ピストン４のピストン体４ａに加わり、これを押し下げ、その結果駆除液剤Ｆの木材ないし生木等内部への液剤注入が開始する。加圧ピストン４がピストン体４ａから構成される実施例については、ピストン体４ａの延在部位に発条３の可動端３ａが直に圧接することとなる。
【００３１】
加圧ピストン４に加えられる押力は、発条３の第１伸張案内８ａ、８ｂが、その弾発を液剤注入管存在方向に向け案内し、発条３の不測の曲折もこれら第１伸張案内により阻止される。短縮発条収納空間１ｂ及びこれより若干長い長さの範囲においては、発条３の不測不要な曲折は生じないまま、駆除液剤Ｆの注入が進むに伴い、本実施形態の使用中を示す全体図である図３に示されるように、加圧ピストン４は、注入シリンダ２内に徐々に没入していく。
【００３２】
この加圧ピストン４の注入シリンダ２内への没入の際、発条３もその可動端３ａより注入シリンダ２内に没入していく。注入シリンダ２は、上記第１伸張案内に延在するため、注入シリンダ２の内壁が第２伸張案内の機能を有するからである。このようにして、弾発による発条３の伸張した部分も、その可動端３ａより注入シリンダ２中に内挿されてゆき、駆除液剤の注入が完了するまで、不測不要な曲折は生じない。
【００３３】
注入シリンダ２がカバー体１の注入シリンダ収納空間１ａに着脱自在に収納される実施例では、駆除液剤Ｆが注入しつくされ、加圧ピストン４がのピストン体４ａが注入シリンダ２の最底部まで達した時には、カバー体１を木材ないし生木より外した上で、再び初期設定時に準じ、発条３の可動端３ａを弾発に抗し、初期設定時と同位置にまで押し戻し、発条弾発抑止レバー５の脱挿案内６に再びレバーを内挿しておく。この状態は静止状態である。
【００３４】
この静止状態下で、空になった注入シリンダ２をカバー体１の注入シリンダ収納空間１ａより取り外し、駆除液剤Ｆの満量充填された注入シリンダ２と取り替えればよい。ここの作業を通じ、発条３の弾発による押力が加圧ピストン４に加わることはないので、頗る簡便且つ安全に交換作業ができる。使用開始の手順は、前記と同じ手順を行えばよい。
【００３５】
【発明の効果】
以上詳述したように、本発明木質侵食害虫の駆除装置によれば、液剤注入開始時の操作が簡便であり、液剤の漏出も無く、また注入シリンダのみの交換も容易である木質侵食害虫駆除液剤の注入装置が提供される。
【図面の簡単な説明】
【図１】（ａ）は本発明実施形態の全体正面図であり、（ｂ）は同全体側面図である。
【図２】本発明実施形態の使用前製品状態を示す図である。
【図３】本実施形態の使用中を示す全体図である。
【符号の説明】
１          カバー体
１ａ      注入シリンダ収納空間
１ｂ      発条短縮収納空間
２          注入シリンダ
３        発条
３ａ      発条可動端
３ｂ      発条固定端
４          加圧ピストン
４ａ      ピストン体
４ｂ      フランジ部
４ｃ      ロッド部
５        弾発抑止レバー
５ａ      Ｕ字状切欠部
６        脱挿案内
７ａ      液剤注入管
７ｂ      針状注入管
８        保護シール
９        固定用縁部
Ｆ        駆除液剤
【図１】
0003558622.tif 000002
【図２】
0003558622.tif 000003
【図３】
0003558622.tif 000004